(57)【要約】【課題】パチンコ球，メダル等の遊技媒体を循環し研磨するため遊技場に設けられる循環研磨装置であって、埃・粉塵等を吸着する能力を増大させるとともに、メンテナンスを容易ならしめる。【解決手段】粉状のトルマリンを合成樹脂組成物と混錬してチップ状に成形してなる研磨材１０を遊技場に設けられる循環研磨装置の循環経路１，３に混合する。該研磨材は６ナイロンを５０重量％以上配合した合成樹脂組成物をバインダーとすることによりチップ状に成形したものとする。【選択図】図１
2006006555.tif 000002
【特許請求の範囲】
【請求項１】
トルマリンが配合された研磨材をパチンコ球，メダル等の遊技媒体の循環経路に混合してなることを特徴とした遊技場における遊技媒体循環研磨装置。
【請求項２】
請求項１に記載の研磨材は、粉状のトルマリンを合成樹脂組成物と混錬してチップ状に成形してなるものである遊技場における遊技媒体循環研磨装置。
【請求項３】
請求項１または２に記載の研磨材は、６ナイロンを５０重量％以上配合した合成樹脂組成物をバインダーとすることにより、粉状のトルマリンをチップ状に成形したものである遊技場における遊技媒体循環研磨装置。
【発明の詳細な説明】
【技術分野】
【０００１】
本発明は、遊技場におけるパチンコ球，メダル等の遊技媒体を循環させると同時に研磨する装置に関するものである。
【背景技術】
【０００２】
パチンコ遊技場に設置される遊技媒体循環研磨装置は、下記特許文献１〜５等に記載されたように、竪筒状に設けらえた揚送経路にベルト等の揚送手段を設け、パチンコ機から島台内底部に排出されたアウト球等を上部球タンク等に揚送するためのものである。また、揚送経路にチップ状の研磨材を混合することによりパチンコ球表面を研磨しパチンコ球を清浄に保つことも下記特許文献１，４等により知られているように従来から行われている。
【０００３】
ところで、上記のようにパチンコ球を清浄に保つために従来から使用されている研磨材は、６ナイロンを母材とし、その他数種の混合物から構成された合成樹脂組成物からなるものであった。しかし、これら合成樹脂系の材料を使用すると、摩擦によって静電気が発生し易くなるという問題があり、その対策として界面活性剤を合成樹脂組成物に練り込み、表面に導電性の被膜を形成させるということも従来から考えられていた。しかしこのような対策では練り込んだ界面活性剤が研磨材の表面に移行し、移行しつくしてしまうと制電効果が殆ど無くなるという問題があった。また界面活性剤を練り込む量を増やしたとしても、研磨剤本来の作用が低下するとともに、使用中に特有の臭気が出るという新たな問題が生じるものであった。
【特許文献１】特開平７−１３６３３７号公報
【特許文献２】特開平８−１５０２５８号公報
【特許文献３】特開平８−１９６７３４号公報
【特許文献４】特開平９−１２２３４６号公報
【特許文献５】特開平１１−１３７８３０号公報
【発明の開示】
【発明が解決しようとする課題】
【０００４】
そこで本発明は、上記のように自然環境を破壊するおそれのある界面活性剤等の有害な化学物質を使用することなく、自然界に産出する材料を用い、パチンコ球等の遊技媒体中に混在する埃や粉塵をよく吸着できて、遊技媒体を常に清浄な状態に保つことができるようにする研磨材を使用した遊技媒体循環研磨装置を提供しようとするものである。
【課題を解決するための手段】
【０００５】
そのために請求項１に記載の遊技場における遊技媒体循環研磨装置は、トルマリンが配合された研磨材をパチンコ球，メダル等の遊技媒体の循環経路に混合してなることを特徴とする。
【０００６】
また本発明は、上記請求項１に記載の研磨材が、粉状のトルマリンを合成樹脂組成物と混錬してチップ状に成形してなるものであることを特徴とする。
【０００７】
また本発明は、上記請求項１または２に記載の研磨材が、６ナイロンを５０重量％以上配合した合成樹脂組成物をバインダーとすることにより、粉状のトルマリンをチップ状に成形したものであることを特徴とする。
【発明の効果】
【０００８】
トルマリンが配合された研磨材が遊技媒体とともに循環経路を循環することにより、トルマリンに圧力および摩擦熱が加わってマイナスイオンを発生させ、周囲の埃，粉塵を吸着する能力を増大させる。
【実施例１】
【０００９】
トルマリンは、周知のように自然界に存在（主としてブラジルで産出）する鉱物で、従来から研磨加工することにより宝石としても用いられてきたものである。また、トルマリンは、電気石とも称され、静的状態では得られない特有の動的特性がある。即ち、トルマリンの結晶体を加熱・加圧することにより、いわゆるピエゾ電気（圧電気）およびパイロ電気（焦電気）が発生し、そのためにマイナスイオンが放出されることが知られている。なお、このような動的特性は、トルマリンを出来るだけ細かい紛状に粉砕しトルマリンの表面積を増大させることで、一層顕著になることも知られている。
【００１０】
そこで本発明に係る研磨材は、６ナイロンを５０重量％以上配合した合成樹脂組成物をバインダーとすることにより、粉状のトルマリンを直径２〜７ｍｍ程度のチップ状に成形したものである。そして、このようにトルマリンを配合した研磨材をパチンコ球，メダル等の遊技媒体の循環経路に混合する。
【００１１】
図１はこの研磨材が使用されるパチンコ球循環研磨装置の概略を示す縦断面図である。この循環研磨装置は、パチンコ遊技場における島台内に設けられるもので、１は基板２上に水平に設けられた導入筒、３は該導入筒の一端に連通状に設けらえた揚送筒である。該導入筒１内にはモータ４によって回転駆動される螺旋状のスクリュー５が設けられ、また、揚送筒３内にはモータ６によって回転駆動される螺旋状のスクリュー７が設けられている。８は導入筒１の側壁に開設された導入口で、該導入口に島台を構成する多数のパチンコ機から排出されたアウト球等のパチンコ球１５が流入する。また、９は導入筒１の上面と相対するように設けられ研磨材１０が収容されている研磨材タンクである。また、１１は揚送筒３の上部一側に開設された流出口１２に上面が相対するように傾斜状に設けられたスノコ、１３は上部が該スノコの下側と連通し下部が前記研磨材タンクと連通するように設けられた還流パイプである。
【００１２】
なお、１４はスノコ１１の上側と連通するパチンコ球補給樋である。また、１５はモータ１６によって回転するファン１７，フィルター１８，収集ボックス１９を具備した集塵装置で、その吸引ホース２０をスノコ１１の下側に張設されたネット２１と相対するように接続し、スノコ１１の隙間から落下した塵，埃を該集塵装置に吸引収集できるようにしている。
【００１３】
このように構成されたパチンコ球循環研磨装置では、導入筒１内にてスクリュー５が回転することにより導入口８に流入したパチンコ球１５とタンク９から補給された研磨材１０とが混合して揚送筒３に送られ、該揚送筒３内のスクリュー７が回転することにより該パチンコ球と研磨材とが一緒に揚送され、島台上部の流出口１２よりスノコ１１上に排出され、パチンコ球１５はスノコ１１上をその傾斜に沿って流下し該島台の各パチンコ機に送給され賞球或いは貸球として遊技者に払い出される。また、研磨材１０はスノコ１１の隙間より落下して還流パイプ１３を通って研磨材タンク９に還流され、何度もパチンコ球とともに導入筒１，揚送筒３を循環する。このようにパチンコ球１５は揚送経路を循環する際に研磨材１０と接触することにより、表面の汚れが該研磨材に吸着されるとともに、摩擦を受け研磨されることでパチンコ球１５の表面が常に光沢ある清浄な状態に保たれる。
【００１４】
そして、本発明ではトルマリンが含まれチップ状に成形された研磨材１０がパチンコ球１５とともに揚送され循環することにより、その過程でトルマリンに圧力および摩擦熱が加わることから、上記ピエゾ電気およびパイロ電気の作用によりマイナスイオンを発生させ、埃・粉塵等を吸着する能力を増大させる。このため、パチンコ球を清浄に保つ能力が増大するとともに、メンテナンスを容易にする顕著な効果がある。なお、上記実施例はパチンコ球について説明したが、これと同様にメダルの循環経路にトルマリンを含む研磨材を混合することにより、本発明はメダルを清浄化することにも寄与することができる。
【図面の簡単な説明】
【００１５】
【図１】本発明の実施例を示すパチンコ球循環研磨装置の縦断面図。
【符号の説明】
【００１６】
１        導入筒
３        揚送筒
１０      研磨材
１１      スノコ
１３      還流パイプ
１４      パチンコ球補給樋
１５      パチンコ球
【図１】
2006006555.tif 000003